(57)【要約】      （修正有）【課題】被写体や撮影条件によって生じるフォーカス調整後のわずかな焦点ズレによる影響を抑制する。【解決手段】ズーム部１０１とフォーカス部１０３を備えたレンズ１００と、レンズ操作装置３００とを備えた撮影システムにおいて、レンズ操作装置３００の操作量に基づいて、ズーム部１０１あるいはフォーカス部１０３の制御信号を演算するための制御信号演算手段１０８と、制御信号演算手段１０８でズーム部１０１の信号を演算するか、フォーカス部１０３の信号を演算するかを選択するための演算選択手段３０５とを備え、演算選択手段３０５がフォーカス部１０３の信号を演算することを選択している場合は、レンズ操作装置３００の操作量に基づいて、フォーカス部１０３の相対位置制御信号を演算する。【選択図】図１
2016033561.tif 000002
【特許請求の範囲】
【請求項１】
ズーム部とフォーカス部を備えたレンズと、レンズ操作装置とを備えた撮影システムにおいて、
前記レンズ操作装置の操作量に基づいて、前記ズーム部あるいはフォーカス部の制御信号を演算するための制御信号演算手段と、前記制御信号演算手段で前記ズーム部の信号を演算するか、前記フォーカス部の信号を演算するかを選択するための演算選択手段とを備え、前記演算選択手段が前記フォーカス部の信号を演算することを選択している場合は、前記レンズ操作装置の操作量に基づいて、前記フォーカス部の相対位置制御信号を演算することを特徴とする撮影システム。
【請求項２】
前記レンズ操作装置がズーム部操作装置であることを特徴とする請求項１に記載の撮影システム。
【請求項３】
カメラ制御装置に、前記レンズ操作装置を備えたことを特徴とする請求項１に記載の撮影システム。
【請求項４】
前記ズーム部操作装置が、前記レンズと有線接続あるいは無線接続していることを特徴とする請求項１に記載の撮影システム。
【請求項５】
前記演算手段選択手段の状態を表示する状態表示手段を構成していることを特徴とする請求項１に記載の撮影システム。
【請求項６】
複数の可動光学部材を備えたレンズ本体と、前記レンズ本体と有線接続し、レンズ操作装置と無線接続する信号変換ユニットを構成する第１のレンズ装置と、第１のレンズ装置とは異なる第２のレンズ装置を備えた撮影システムにおいて、
前記レンズ操作装置の操作量に基づいて、前記可動光学部材の制御信号を演算するための制御信号演算手段と、前記制御信号演算手段で第１の信号を演算するか、第２の信号を演算するかを選択するための演算選択手段とを備え、前記演算選択手段が第１の信号を選択している場合は、第１のレンズに第１の信号を送信し、前記演算選択手段が第２の信号を選択している場合は、第２のレンズに第２の信号を送信することを特徴とする撮影システム。
【発明の詳細な説明】
【技術分野】
【０００１】
本発明は、複数の操作手段を有するズームレンズ装置に関する。
【背景技術】
【０００２】
近年、テレビやモニタなどの大画面化および高画質化がすすみ、映し出される映像に対する高画質化要求が高まっていた。この高画質化要求に応えるべく、放送用ズームレンズではオートフォーカス機能を搭載した高機能ズームレンズが提案されている（特許文献１参照）。一方で、カメラやレンズ等の撮影機材は急速に小型化が進行している。
【先行技術文献】
【特許文献】
【０００３】
【特許文献１】特開２００７−２７１９１８号公報
【発明の概要】
【発明が解決しようとする課題】
【０００４】
しかしながら、上記従来の撮影方法では、被写体や撮影条件によっては、フォーカス調整後にわずかに焦点ズレが生じる場合があり、このときの撮影映像が大画面モニタに映し出されると、視聴者が焦点ズレを認識する可能性があった。さらにカメラマンは、カメラに取り付けられた小型のビューファーにより焦点状態を監視する必要があり、フォーカス調整後のわずかな焦点ズレを認識することが難しく、それに対する対策が望まれていた。
【課題を解決するための手段】
【０００５】
本発明は、ズーム部とフォーカス部を備えたレンズと、レンズ操作装置とを備えた撮影システムにおいて、前記レンズ操作装置の操作量に基づいて、前記ズーム部あるいはフォーカス部の制御信号を演算するための制御信号演算手段と、前記制御信号演算手段で前記ズーム部の信号を演算するか、前記フォーカス部の信号を演算するかを選択するための演算選択手段とを備え、前記演算選択手段が前記フォーカス部の信号を演算することを選択している場合は、前記レンズ操作装置の操作量に基づいて、前記フォーカス部の相対位置制御信号を演算することを特徴とする。
【発明の効果】
【０００６】
本発明によれば、被写体や撮影条件によらず、焦点状態を容易に合焦状態に設定することを可能とする効果が得られる。
【図面の簡単な説明】
【０００７】
【図１】第１の実施例の構成図である。
【図２】第１の実施例の動作を説明するためのフローチャートである。
【図３】第２の実施例のシステム図である。
【図４】第２の実施例の無線送信装置構成図である。
【図５】第２の実施例の無線送信装置の動作を説明するためのフローチャートである。
【図６】第２の実施例の無線受信装置構成図である。
【図７】第２の実施例の無線受信装置の動作を説明するためのフローチャートである。
【発明を実施するための形態】
【０００８】
以下に、本発明の実施の形態を添付の図１から図２の図面に基づいて詳細に説明する。
【実施例１】
【０００９】
図１は、本発明を適用できる第１の実施例におけるレンズシステムの構成図である。１００はズームレンズであり、２００はテレビカメラ、３００はカメラ制御装置である。１０１は変倍作用をもつズーム部、１０２はズーム部１０１を制御・駆動するためのズーム制御部である。１０３は被写体像の焦点を調節するためのフォーカス部であり、１０４はフォーカス部１０３を制御・駆動するためのフォーカス制御部である。
【００１０】
１０５は、ズームレンズ１００に直接接続されており、ズーム部１０１を操作するためのズームデマンドである。１０６は、ズームデマンド１０５と同様にズームレンズ１００に直接接続されており、フォーカス部１０３を操作するためのフォーカスデマンドである。１０７は、カメラ２００と通信するためのレンズ通信部であり、１０８はズームデマンド１０５の出力等を用いて、フォーカス部１０３あるいはズーム部１０１の制御信号を演算するための補正信号演算部である。
【００１１】
つづいて２０１は、ズームレンズ１００およびカメラ制御装置３００と通信するためのカメラ通信部、３０１はカメラ２００と通信するためのＣＣＵ通信部、３０２はフォーカス部１０３を操作するためのＣＣＵフォーカス操作部である。３０３は、ズーム部１０１を操作するためのＣＣＵズーム操作部であり、３０４は、補正信号演算部１０８にて、フォーカス部１０３あるいはズーム部１０１の補正演算を実行するか否かを選択するための補正演算スイッチである。３０５は、ズームデマンド１０５およびフォーカスデマンド１０６の操作と、ＣＣＵズーム操作部３０３およびＣＣＵフォーカス操作部３０２のどちらを有効にするかを選択するための操作選択スイッチである。本実施例では、レンズ通信部１０７および補正信号演算部１０８をレンズＣＰＵ１２０で実現している。
【００１２】
以下に図２のフローチャートに沿って、レンズＣＰＵ１２０の動作を詳細に説明する。カメラ制御装置３００に電源を投入し、カメラ２００およびズームレンズ１００に電源が供給されると、レンズＣＰＵ１２０はＳ１０１にすすみ、ＣＰＵ１２０内の各変数に初期値を設定し、Ｓ１０２にすすむ。
ズーム位置データ            ：Ｚｃ＝Ｚｐｏｓ（Ｚｐｏｓは任意の値）
ズーム位置データバッファ    ：Ｚｂ＝Ｚｐｏｓ
フォーカス位置データ        ：Ｆｃ＝Ｆｐｏｓ（Ｆｐｏｓは任意の値）
フォーカスデマンドデータ    ：Ｆｄｅｍ０＝Ｚｐｏｓ
Ｓ１０２では、ズーム相対位置データＺｒおよびフォーカス相対位置データＦｒ、前サンプリング時のフォーカス相対位置データであるフォーカス相対位置データバッファＦｒ０を‘０’に初期化する。Ｓ１０３において、補正演算フラグＦｌａｇを通常モードに相当する‘０’に初期化し、Ｓ１０４にすすむ。Ｓ１０４にすすんだレンズＣＰＵ１２０は、ズームデマンド１０５およびフォーカスデマンド１０６との通信を初期化し、通信接続を確立、Ｓ１０５にすすむ。Ｓ１０５では、カメラ２００との通信を初期化し、カメラ２００およびカメラ制御装置３００との通信接続を確立する。ここでレンズＣＰＵ１２０は、各種初期化動作を完了し、Ｓ１０６より通常動作を開始することになる。
【００１３】
Ｓ１０６では、ズームデマンド１０５の操作量Ｚｖａｌｕｅをズームデマンド１０５から入力し、変数Ｚｄｅｍに設定し、Ｓ１０７では、フォーカスデマンド１０６の操作量Ｆｖａｌｕｅをフォーカスデマンド１０６から入力し、変数Ｆｄｅｍに設定する。Ｓ１０８においては、カメラ制御装置３００からＣＣＵフォーカス操作部３０２とＣＣＵズーム操作部３０３それぞれの操作量および、補正演算スイッチ３０４・操作選択スイッチ３０５の状態を入力し、変数Ｚｃｃｕ、Ｆｃｃｕ、Ｆｌａｇ、Ｆｌａｇ２に設定する。
Ｚｃｃｕ＝Ｚｖａｌ２（Ｚｖａｌ２は、ＣＣＵズーム操作部３０３の操作量）
Ｆｃｃｕ＝Ｆｖａｌ２（Ｆｖａｌ２は、ＣＣＵフォーカス操作部３０２の操作量）
Ｆｌａｇ＝Ｓｔａｔｅ３０４
（Ｓｔａｔｅ３０４は、補正モード時：１  通常モード時：０）
Ｆｌａｇ２＝Ｓｔａｔｅ３０５
（Ｓｔａｔｅ３０５は、デマンド有効時：１  ＣＣＵ操作部有効時：０）
そしてＳ１０９では、操作選択フラグＦｌａｇ２を判断し、操作選択フラグＦｌａｇ２が‘１’の場合、つまりデマンド操作が有効である場合は、Ｓ１１０にすすむ。Ｓ１１０においては、補正演算フラグＦｌａｇを判断する。補正演算フラグＦｌａｇが‘１’の場合、つまり補正モードに設定されている場合は、Ｓ１１１にすすみ、ズーム位置データバッファとズームデマンド１０５の操作量に基づいて、ズーム位置データＺｃを演算する。
Ｚｃ＝Ｚｂ＋Ｚｄｅｍ
Ｓ１１２にすすんだレンズＣＰＵ１２０は、ＣＣＵズーム操作部３０３の操作量と前サンプリング時のフォーカス相対位置データからフォーカス相対位置データＦｒ演算する。
Ｆｒ＝Ｆｒ０＋Ｚｃｃｕ
Ｓ１１３では、フォーカスデマンド１０６の操作量とフォーカス相対位置データからフォーカス位置データを演算し、Ｓ１１８にすすむ。
Ｆｃ＝Ｆｒ＋Ｆｄｅｍ
このように、ＣＣＵズーム操作部３０３の操作量を用いて演算したフォーカス相対位置をフォーカスデマンド１０６の操作量に加算して、フォーカス位置データを演算することにより、焦点位置のズレを補正することが可能になる。
【００１４】
つづいてＳ１１８にすすんだレンズＣＰＵ１２０は、各演算結果Ｆｒ、Ｆｄｅｍ、ＺｃをそれぞれのバッファＦｒ０、Ｆｄｅｍ０、Ｚｂに格納し、Ｓ１２２にすすむ。Ｓ１２２では、不図示のズーム位置検出部の信号を用いて、ズーム制御演算を実施し、ズーム部１０１を所定の位置まで駆動し、Ｓ１２３にすすむ。Ｓ１２３においては、不図示のフォーカス位置検出部の信号を用いて、フォーカス制御演算を実施し、フォーカス部１０３を所定の位置まで駆動する。
【００１５】
一方でＳ１１０において、補正演算フラグＦｌａｇが‘０’の場合、つまり通常モードに設定されている場合は、Ｓ１１４にすすみ、ズームデマンド１０５の操作量とＣＣＵズーム操作部３０３の操作量からズーム位置データを演算する。
Ｚｃ＝Ｚｂ＋Ｚｒ＋Ｚｄｅｍ
Ｓ１１５では、前サンプリング時のフォーカス相対位置データを判断し、フォーカス相対位置データが‘０’でない場合は、Ｓ１１６にすすみ、フォーカスデマンド１０６の操作量からフォーカス相対位置データを演算し、Ｓ１１３にジャンプする。
Ｆｒ＝Ｆｒ０×（Ｆｄｅｍ―Ｆｄｅｍ０）／（Ｆｍａｘ―Ｆｄｅｍ０）
Ｆｍａｘ：フォーカスデマンド操作量の最大値
またＳ１１５において、前サンプリング時のフォーカス相対位置データが‘０’である場合は、Ｓ１１７にすすみ、フォーカス相対位置データＦｒに０を設定し、Ｓ１１３にジャンプする。
【００１６】
このように、補正演算スイッチ３０４が補正モードから通常モードに変更された場合に、フォーカス相対位置データを演算することにより、補正演算スイッチ３０４切換時もフォーカス部１０３を連続的に操作することが可能となる。
【００１７】
また、Ｓ１０９において、操作選択フラグＦｌａｇ２が‘０’の場合、つまりＣＣＵズーム操作部３０３とＣＣＵフォーカス操作部３０２が有効である場合は、Ｓ１１９にすすみ、ＣＣＵズーム操作部３０３の操作量に基づいて、ズーム位置データＺｃを演算する。
Ｚｃ＝ｆｚ（Ｚｃｃｕ）    ｆｚ（）は任意の関数
Ｓ１２０では、ＣＣＵフォーカス操作部３０２の操作量に基づいて、フォーカス位置データＦｃを演算する。
Ｆｃ＝ｆｆ（Ｆｃｃｕ）    ｆｆ（）は任意の関数
Ｓ１２１においては、フォーカス相対位置データＦｒに‘０’を設定し、Ｓ１１８にジャンプする。
【００１８】
以後、カメラ制御装置３００の電源が切断されるまで、Ｓ１０６からＳ１２３までを繰り返し実行する。
【００１９】
本実施例では、ＣＣＵズーム操作部３０３の操作量に基づいてフォーカス相対位置データを演算した。しかし、操作部をエンドレスタイプに設定したＣＣＵフォーカス操作部３０２の操作量に基づいて演算しても同様の効果を得ることが可能である。
【実施例２】
【００２０】
以下に、本発明の実施の形態を添付の図３から図７の図面に基づいて詳細に説明する。図３は、本発明を適用できる第２の実施例におけるシステム図である。
【００２１】
１０５Ａはズームデマンドであり、１０６Ａはフォーカスデマンド、４００Ａは、ズームデマンド１０５およびフォーカスデマンド１０６の操作量を無線信号に変換し、無線送信するための無線送信装置である。５００Ａは、無線送信装置４００Ａからの無線信号を受信し、受信した無線信号を制御信号に変換する無線受信装置である。６００Ａは、ズームレンズであり、６０１Ａはレンズ制御部である。
【００２２】
１０５Ｂはズームデマンドであり、１０６Ｂはフォーカスデマンド、４００Ｂは無線送信装置、５００Ｂは無線受信装置、６００Ｂはズームレンズ、６０１Ｂはレンズ制御部である。図３において、符号の数字部分が同じ要素は、同一の機能をもった要素を示している。たとえば４００Ａの無線送信装置と４００Ｂの無線送信装置は、同一機能をもった要素である。
【００２３】
図４は、本発明を適用できる第２の実施例における無線送信装置４００Ａの構成図である。４０１はズームデマンド１０５Ａおよびフォーカスデマンド１０６Ａの操作量に応じた電圧を所定の電圧振幅に増幅するための増幅器であり、４０２は増幅器４０１のアナログ電圧出力をデジタルデータに変換するためのＡ／Ｄ変換器である。４０３はズームレンズ６００Ａに構成されている不図示のフォーカス部あるいはズーム部の補正演算を実行するか否かを選択するための補正演算スイッチである。４０４は、無線送信装置４００Ａが無線通信する無線受信装置を選択するための受信装置選択手段である。
【００２４】
４０５は補正演算スイッチ４０３の状態を表示するための状態表示装置であり、４０６は不図示のフォーカス部あるいはズーム部の制御データを演算するための制御信号演算部である。４０７は制御信号演算部４０６の出力を通信データに変換するための通信制御部であり、４０８は通信データを無線信号に変換し、無線通信を行う無線通信部である。本実施例では、制御信号演算部４０６および通信制御部４０７を送信装置ＣＰＵ４１０で実現している。
【００２５】
以下に図５のフローチャートに沿って、送信装置ＣＰＵ４１０の動作を詳細に説明する。レンズ６００Ａに電源が投入され、無線送信装置４００Ａに構成されている不図示の電源スイッチがＯＮされると、送信装置ＣＰＵ４１０はＳ２０１にすすみ、無線受信装置５００Ａとの無線通信を初期化し、無線通信接続を確立する。Ｓ２０２では、送信装置ＣＰＵ４１０内の各変数に初期値を設定し、Ｓ２０３にすすむ。
ズーム位置データ            ：Ｚｃ＝Ｚｐｏｓ（Ｚｐｏｓは任意の値）
ズーム位置データバッファ    ：Ｚｂ＝Ｚｐｏｓ
フォーカス位置データ        ：Ｆｃ＝Ｆｐｏｓ（Ｆｐｏｓは任意の値）
フォーカスデマンドデータ    ：Ｆｄｅｍ０＝Ｚｐｏｓ
Ｓ２０３においては、ズーム相対位置データＺｒおよびフォーカス相対位置データＦｒ、前サンプリング時のフォーカス相対位置データであるフォーカス相対位置データバッファＦｒ０を‘０’に初期化する。Ｓ２０４では、補正演算フラグＦｌａｇを通常モードに相当する‘０’に初期化し、Ｓ２０５にて受信装置選択フラグＳｅｌを受信装置５００Ａ選択時の値である‘０’に初期化する。ここで送信装置ＣＰＵ４１０は、各種初期化動作を完了し、Ｓ２０６より通常動作を開始することになる。
【００２６】
Ｓ２０６にすすんだ送信装置ＣＰＵ４１０は、ズームデマンド１０５Ａの操作量Ｚｖａｌｕｅを入力して変数Ｚｄｅｍに設定し、Ｓ２０７ではフォーカスデマンド１０６Ａの操作量Ｆｖａｌｕｅを入力し、変数Ｆｄｅｍに設定する。Ｓ２０８においては、補正演算スイッチ４０３および受信装置選択スイッチ４０４の状態を入力する。
Ｆｌａｇ＝Ｓｔａｔｅ４０３
（Ｓｔａｔｅ４０３は、補正モード時：１  通常モード時：０）
Ｓｅｌ＝Ｓｔａｔｅ４０４
（Ｓｔａｔｅ４０４は、レンズＡ選択時：０  レンズＢ選択時：１）
Ｓ２０９では、受信装置選択フラグＳｅｌの状態を判断し、受信装置選択フラグＳｅｌが‘０’の場合、つまり無線受信装置５００Ａを選択している場合は、Ｓ２１０にすすみ、無線受信装置５００Ａと通信接続が確立しているか判断する。Ｓ２１０において、無線受信装置５００Ａとの通信が確立していない場合は、Ｓ２１１で無線受信装置５００Ａとの通信接続を確立し、Ｓ２１２では、フォーカスデマンド操作量からフォーカス位置データを演算し、Ｓ２１３にすすむ。
Ｆｃ＝Ｆｄｅｍ
一方、Ｓ２１０において無線受信装置５００Ａとの通信が確立している場合は、何もせずＳ２１２にジャンプする。
【００２７】
次にＳ２１３では、補正演算フラグＦｌａｇを判断し、補正演算フラグＦｌａｇが‘１’の場合、つまり補正モードに設定されている場合はＳ２１４にすすみ、前サンプリング時のズーム位置データＺｂをズーム位置データＺｃに設定する。
Ｚｃ＝Ｚｂ
また、Ｓ２１３において補正演算フラグＦｌａｇが‘０’の場合、つまり通常モードの場合は、Ｓ２１６でズームデマンド１０５Ａの操作量からズーム位置データを演算する。
Ｚｃ＝Ｚｂ＋Ｚｒ＋Ｚｄｅｍ
つづいてＳ２１５では、フォーカス位置データとズーム位置データを無線受信装置５００Ａに送信し、Ｓ２２２で再度、補正演算フラグＦｌａｇを判断する。Ｓ２２２において、補正演算フラグＦｌａｇが‘１’の場合は、Ｓ２２３にすすみ、ズームデマンド１０５Ａの操作量からフォーカス相対位置データを演算する。
Ｆｒ＝Ｆｒ０＋Ｚｄｅｍ
Ｓ２２４においては、無線受信装置５００Ａとの通信を切断し、無線受信装置５００Ｂとの通信接続を確立して、Ｓ２２５にすすみ、フォーカス相対位置データを無線受信装置５００Ｂに送信する。Ｓ２２６では、受信装置５００Ｂとの通信を切断し、無線受信装置５００Ａとの通信接続を確立し、Ｓ２２７において各演算結果Ｆｒ、Ｆｄｅｍ、ＺｃをそれぞれのバッファＦｒ０、Ｆｄｅｍ０、Ｚｂに格納する。
【００２８】
このように、ズームデマンド１０５Ａの操作量を用いて演算したフォーカス相対位置を受信装置５００Ｂに送信することにより、レンズ６００Ｂの焦点位置ズレを補正することが可能になる。
【００２９】
一方でＳ２２２において、補正演算フラグＦｌａｇが‘０’の場合は、Ｓ２２８にすすみ、前サンプリング時のフォーカス相対位置データを判断する。フォーカス相対位置データが‘０’でない場合は、Ｓ２２９で、フォーカスデマンド１０６Ａの操作量からフォーカス相対位置データを演算し、Ｓ２２４にジャンプする。
Ｆｒ＝Ｆｒ０×（Ｆｄｅｍ―Ｆｄｅｍ０）／（Ｆｍａｘ―Ｆｄｅｍ０）
Ｆｍａｘ：フォーカスデマンド操作量の最大値
またＳ２２８において、前サンプリング時のフォーカス相対位置データが‘０’である場合は、Ｓ２３０にすすみ、フォーカス相対位置データＦｒに０を設定し、Ｓ２２７にジャンプする。
【００３０】
このように、補正演算スイッチ３０４が補正モードから通常モードに変更された場合に、フォーカス相対位置データを演算することにより、補正演算スイッチ３０４切換時も不図示のフォーカス部を連続的に操作することが可能となる。
【００３１】
さらにＳ２０９において、受信装置選択フラグＳｅｌが‘１’の場合、つまり無線受信装置５００Ｂを選択している場合は、Ｓ２１７にすすみ、無線受信装置５００Ｂと通信接続が確立しているか判断する。Ｓ２１７において、無線受信装置５００Ｂとの通信が確立していない場合は、Ｓ２１８で無線受信装置５００Ｂとの通信接続を確立する。またＳ２１７において、無線受信装置５００Ｂとの通信が確立している場合は、何もせずＳ２１９にジャンプする。つづいてＳ２１９では、フォーカスデマンド１０６Ａの操作量からフォーカス位置データを演算し、Ｓ２２０にすすむ。Ｓ２２０においては、ズームデマンド１０５Ａの操作量からズーム位置データを演算し、Ｓ２２１で、フォーカス位置データとズーム位置データを無線受信装置５００Ｂに送信し、Ｓ２２７にジャンプする。
【００３２】
以後、無線送信装置４００Ａに構成されている不図示の電源スイッチが切断されるまで、Ｓ２０６からＳ２３０までを繰り返し実行する。
【００３３】
図６は、本発明を適用できる第２の実施例における無線受信装置５００Ｂの構成図である。５０１は、無線通信にて受信した無線信号を通信データに変換するための無線通信部である。５０２は無線通信部５０１の制御および状態監視を行うための通信制御部であり、５０３は受信した通信データを解析し、レンズ制御信号を演算するためのデータ解析部である。５０４は、データ解析部５０３から出力されるフォーカス位置データおよびズーム位置データをアナログ信号に変換するためのＤ／Ａ変換器１である。
【００３４】
５０５は、データ解析部５０３から出力されるフォーカス相対位置データをアナログ信号に変換するためのＤ／Ａ変換器２ある。５０６はＤ／Ａ変換器１およびＤ／Ａ変換器２の出力を加算し、所定の電圧レベルに増幅するための増幅器である。５０７は、無線送信装置４００Ａと４００Ｂの双方からレンズ６００Ｂが操作可能な状態か否かを表示するための状態表示部である。本実施例では、ＬＥＤで実現している。６０１Ｂはレンズ６００Ｂに構成され、不図示のズーム群およびフォーカス群を制御するためのレンズ制御部である。本実施例では、通信制御部５０２とデータ解析部５０３をＣＰＵ５１０で実現している。
【００３５】
以下に図７のフローチャートに沿って、受信装置ＣＰＵ５１０の動作を詳細に説明する。レンズ６００Ｂに電源が投入されると、受信装置ＣＰＵ５１０はＳ３０１にすすみ、無線送信装置４００Ｂとの無線通信を初期化し、無線通信接続を確立する。Ｓ３０２では、受信装置ＣＰＵ５１０内の各変数に初期値を設定し、Ｓ３０３にすすむ。
ズーム位置データ      ：Ｚｃ＝Ｚｐｏｓ（Ｚｐｏｓは任意の値）
フォーカス位置データ  ：Ｆｃ＝Ｆｐｏｓ（Ｆｐｏｓは任意の値）
Ｓ３０３においては、フォーカス相対位置データＦｒを‘０’に初期化し、Ｓ３０４ではフォーカス位置データＦｃ・ズーム位置データＺｃおよびフォーカス相対位置データＦｒをＤ／Ａ変換器１およびＤ／Ａ変換器２に出力する。
Ｓ３０５では、ズーム位置データおよびフォーカス位置データを無線送信装置４００Ｂから入力する。
Ｚｃ＝Ｚｄｅｍ２
Ｆｃ＝Ｆｄｅｍ２
Ｓ３０６において、無線送信装置４００Ａからのデータを受信したか否かを判断し、データを受信した場合は、Ｓ３０７で無線送信装置４００Ｂとの通信を切断し、Ｓ３０８では無線送信装置４００Ａとの通信接続を確立する。Ｓ３０９では、フォーカス相対位置を無線送信装置４００Ａから入力し、Ｓ３１０においては、無線送信装置４００Ａと通信を切断し、Ｓ３１１では無線送信装置４００Ｂとの通信接続を確立する。
【００３６】
つぎにＳ３１２では状態表示部５０７のＬＥＤを点灯し、Ｓ３１３にすすむ。Ｓ３１３ではフォーカス位置データＦｃおよびズーム位置データＺｃをＤ／Ａ変換器１に出力し、Ｓ３１４ではフォーカス相対位置データＦｒをＤ／Ａ変換器２に出力する。
【００３７】
一方、Ｓ３０６において、無線送信装置４００Ａからのデータを受信しなかった場合は、Ｓ３１５でフォーカス相対位置データを‘０’に設定し、Ｓ３１６にすすみ状態表示部５０７のＬＥＤを消灯し、Ｓ３１３にジャンプする。
【００３８】
以後、レンズ６００Ｂの電源が切断されるまで、Ｓ３０５からＳ３１６を繰り返し実行する。
【００３９】
本実施例の補正演算スイッチ４０３をリターンスイッチに置き換えても同様の効果を得ることが可能である。たとえばリターンスイッチをＯＮし、レンズ６００Ｂで撮影した映像が、レンズ６００Ａに接続された不図示のカメラビューファーに表示された場合に、補正モードに移行し、レンズ６００Ｂのフォーカスを補正してもよい。
【符号の説明】
【００４０】
１００  ズームレンズ、１０１  ズーム部、１０２  ズーム制御部、
１０３  フォーカス部、１０４  フォーカス制御部、１０５  ズームデマンド、
１０６  フォーカスデマンド、１０７  レンズ通信部、１０８  補正信号演算部、
１２０  レンズＣＰＵ、２００  テレビカメラ、２０１  カメラ通信部、
３００  カメラ制御部、３０１  ＣＣＵ通信部、３０２  ＣＣＵフォーカス操作部、
３０３  ＣＣＵズーム操作部、３０４  補正演算スイッチ、３０５  操作選択スイッチ
【図１】
2016033561.tif 000003
【図２】
2016033561.tif 000004
【図３】
2016033561.tif 000005
【図４】
2016033561.tif 000006
【図５】
2016033561.tif 000007
【図６】
2016033561.tif 000008
【図７】
2016033561.tif 000009